(57)【要約】【課題】パルプ製造の生産性を高めるために、高い容積重を有するユーカリ属植物を効果的に生産する方法を提供することを課題とする。【解決手段】植林後８から９年に伐採することを特徴とする高容積重ユーカリ属植物の生産方法、及び同一樹齢のユーカリ属植物の検定林から選抜された高容積重のユーカリ属植物から挿し木法により作製されたクローン苗を植林し、植林後８から９年に伐採することを特徴とするユーカリ属植物の生産方法。これら生産方法で生産されたユーカリ属植物と、このユーカリ属植物から製造された木材チップ、パルプ。【選択図】なし【特許請求の範囲】
【請求項１】
植林後８から９年に伐採することを特徴とする高容積重ユーカリ属植物の生産方法。
【請求項２】
同一樹齢のユーカリ属植物の検定林から選抜された高容積重のユーカリ属植物から挿し木法により作製されたクローン苗を植林することを特徴とする請求項１に記載の高容積重ユーカリ属植物の生産方法。
【請求項３】
ユーカリ属植物がユーカリ・グロブルスであることを特徴とする請求項１または２に記載の高容積重ユーカリ属植物の生産方法。
【請求項４】
請求項１〜３のいずれかに記載の生産方法で生産されたユーカリ属植物。
【請求項５】
請求項４記載のユーカリ属植物から製造された木材チップ。
【請求項６】
請求項５記載の木材チップから製造されたパルプ。
【発明の詳細な説明】
【技術分野】
【０００１】
本発明はユーカリ・グロブルスに代表されるユーカリ属植物の生産方法に関する。
【背景技術】
【０００２】
ユーカリ属植物、特にユーカリ・グロブルスは、高い成長率、優れたパルプ化適性などから、今日パルプ化用のチップ材料として好適との評価を受けている。通常樹木よりパルプ繊維を取り出すには蒸解という操作が選択される。この操作は、加圧加熱下、木材チップに苛性ソーダ、硫酸を主とする薬品と共に一定時間反応させ、これらに不溶なセルロースを抽出するものである。ところで、これらの反応を行う反応器は蒸解釜と称し一定の容積を有する。パルプ製造における生産性は、この蒸解釜の容積によって決定される。蒸解釜には固定式と連続式とあるが、いずれのタイプでも生産性はその容積によって決定されることには違いがない。したがって、このパルプ製造の生産性を向上するために、容積一定の蒸解釜にできるだけ多くの木材チップを詰め込もうとする努力がなされる。
【０００３】
ここで低い容積重の木材チップ、つまり嵩高の木材チップでは、詰め込む木材チップの重量が、高い容積重の木材チップと比較して少なくなり、この結果パルプ製造の生産性が低下してしまう。このようなことから高い容積重の木材チップが望まれる。
【０００４】
ユーカリ属植物は、商業用として事業的規模の植林によって生産されている。植林方法としては、種子を使用した植林方法が一般的であるが、遺伝子の有する本質的なばらつきがあるために期待の効果が得られず、ユーカリ・グロブルス本来の植林効果を得ることが困難であった。そこで、クローン苗を生産して商業植林に利用する方法が行われている。
【０００５】
ユーカリ属植物の植林生産性を向上させようとする技術の主流は林木育種という技術分野で検討されてきた（例えば、非特許文献１）。植林生産性の向上のための技術として、高生長樹を選抜すること、これらの交雑を行って純系種を作り上げること、苗のクローン化等の技術が記載されている。つまり、選抜と交雑を通じて遺伝形質を増殖対象に付与するという技術である。しかしながら、この技術は、生長性、幹の通直性、病虫害の抵抗性等という限られた植林生産性のみを向上させようという技術であり、容積重に着目したものはない。
【０００６】
一方、ユーカリ・グロブルスを対象として、その特性を改変としようとする試みも盛んである。もっとも古くから改変研究がなされているのは、樹木の主要構成成分であるリグニンの含有量を減少させることである。例えば、遺伝子組換え技術を利用して、リグニン生合成に関与している遺伝子を操作することでリグニン低含量樹木が作り出されている（例えば、非特許文献２参照）。また、最近では塩害で不毛の土地の有効利用を意図して耐塩性を付与する研究もあり、耐塩性遺伝子のみを導入した遺伝子組換えユーカリが作出されている（例えば、非特許文献３）。さらに、植林環境における環境ストレスとして問題になっている乾燥や酸性土壌を研究対象として、ユーカリ交雑種に乾燥ストレス耐性を与える効果が確認されている転写因子遺伝子と酸性土壌耐性を付与する効果が確認されているクエン酸合成酵素遺伝子を導入する研究がなされている（例えば、非特許文献４参照）。
【０００７】
しかし、これらは遺伝子の改変という人為的な手法によっており、生物多様性の保持、安全性未確認遺伝子の自然環境への拡散という環境的な危険性を含んでいるため、十分な安全性が確認されておらず、現状で商業的に採用される手法ではない。また、リグニン含有量の低下、耐塩性、環境ストレス耐性といった特性のみに着目した技術である。
【０００８】
商業的なユーカリ属植物の生産においては、高い容積重のパルプ材を生産することが必要であるが、上述のような材木育種や遺伝子組換えという技術分野において、この容積重に着目された研究はなされていない。
【非特許文献１】大庭喜八郎著、「林木育種学」、初版、文永堂出版、１９９１年９月３０日、ｐ．１〜１５６
【非特許文献２】「タバコ転写因子Ntlim1によるリグニン生合成の制御」、［online］、日本製紙グループ、［平成１８年２月２２日検索］、インターネット＜ＵＲＬ：http：／／www．np−g．com／about／research／society／2001／publish_ja_035．html＞
【非特許文献３】渡邊惠子、外１名、「遺伝子組換えユーカリの開発」、紙パ技協誌  紙パルプ技術協会、平成１６年１月、第８巻、第１号、ｐ．６２〜６６
【非特許文献４】河津哲、「環境ストレス耐性ユーカリの開発と産業植林」、紙パ技協誌  紙パルプ技術協会、平成１６年１月、第８巻、第１号、ｐ５５〜６１
【発明の開示】
【発明が解決しようとする課題】
【０００９】
本発明の課題は、ユーカリ属植物の生産方法に関し、パルプ製造の生産性を高めるために、高い容積重を有するユーカリ属植物を効果的に生産する方法を提供することである。特に、事業規模の商業的植林に適した生産方法を提供する。また、この生産方法で生産されたユーカリ属植物とこのユーカリ属植物を用いて製造された木材チップおよびパルプを提供する。
【課題を解決するための手段】
【００１０】
上記課題を解決するために鋭意検討した結果、
（１）植林後８から９年に伐採することを特徴とするユーカリ属植物の生産方法、
（２）同一樹齢のユーカリ属植物の検定林から選抜された高容積重のユーカリ属植物から挿し木法により作製されたクローン苗を植林することを特徴とする上記（１）に記載の高容積重ユーカリ属植物の生産方法、
（３）ユーカリ属植物がユーカリ・グロブルスであることを特徴とする上記（１）または（２）に記載の高容積重ユーカリ属植物の生産方法、
（４）上記（１）〜（３）のいずれかに記載の生産方法で生産されたユーカリ属植物、
（５）上記（４）記載のユーカリ属植物から製造された木材チップ、
（６）上記（５）記載の木材チップから製造されたパルプ、
を見出した。
【発明の効果】
【００１１】
本発明の第１の効果を説明する。これまでユーカリ属植物において、容積重については樹種毎に異なっていることが理解されていたが、樹種内の様子についてはそれがどのようにして決定されるかが理解されていなかった。本発明者は、ユーカリ属植物の生長の過程における容積重の変化に着目し、容積重が植林後８から９年にピークを迎えることを初めて確認し、このユーカリ属植物を伐採することによって、高い容積重を有するユーカリ属植物を生産することが可能なことを見出した。
【００１２】
本発明の第２の効果を説明する。本発明者は、同一樹種であっても時系列的な容積重の変化が個体間で異なるが、ピークを迎える時期は等しいことを見出した。この個体間における差異を少なくし、容積重の高い個体を選択的に生産に用いることによって、高容積重ユーカリ属植物を生産できる。これは、同一樹齢のユーカリ属植物の検定林から選抜された高容積重のユーカリ属植物から挿し木法により作製されたクローン苗を植林することによって達成することができた。
【００１３】
つまり、本発明は、容積重特性をユーカリ・グロブルスの代表されるユーカリ属植物の育成法を開示し、もって植林生産性の向上を図ったものである。本発明の高容積重ユーカリ属植物の生産方法によれば、高い容積重特性を有するユーカリ属植物を効率よく生産できる。したがって、パルプ製造用途の植林として極めて重要である。また、間接的に植林単位面積当たりのバイオマス生産の効率向上、つまり二酸化炭素固定化量の増加により地球温暖化防止に寄与するという効果を生み出したものである。本発明のユーカリ属植物は、高い容積重を有するので、パルプ製造の生産性を高めることが可能である。
【発明を実施するための最良の形態】
【００１４】
以下本発明について詳細に説明する。ユーカリ・グロブルスの容積重について詳しく調査するため以下のような作業を行う。まず、選別を経ていない天然種子から樹齢同一の一斉林を造成し、その個体毎の容積重のばらつきを経年的に調査する。その方法は次のようである。まず苗を作成する。市販の種子を利用する。市販の種子は当該地域に一般的に販売されているものであり、これを播種する。この市販種子は一般的に遺伝子の改変、或いは育種などの選抜、純化を経ていないものを選択する。この場合一般的に知られている培地は全て適用できる。例えばバーミキュライト、ピートモス、松皮などである。播種後灌水を繰り返すことにより２週間程で発芽するのでこれを略７ヶ月ほど培養し植林可能な山出し苗とする。この間の施肥、灌水は一般的な方法による。
【００１５】
次に作製できた苗を植林地に植え付ける。植林地としては、均一な生育条件が得られるように土壌の分布が均一で平坦な土地を選択する。植え付けに当たって通常の植林効果が得られるように除草、異物除去、耕耘などの地拵えを行う。植え付けは十分な土壌水分が確保される雨期に行う。植え付け後、窒素、燐、カリウムの３要素肥料を施肥する。施肥の時期、量は一般的な植林法に適用される方法でよい。植え付け後の作業は除草が主体となる。これは雑草の様子を観察し、適宜実施する。
【００１６】
かくして選別を経ていない天然の種子から樹齢同一の一斉林を造成し、その個体毎の容積重のばらつきを経年的に調査する。目的とする複数の個体からその枝を採取し、剥皮後チッパーにてチップ化する。チップ生産場所とそれが利用される場所、つまりパルプ製造工場との間には大きな距離のある場合があり、この時高い容積重のチップは高い積載効率を得ることができ有利となる。
チッピングした材は完全に攪拌し容積重測定に供する。このようにして調査すると、容積重は時系列的に植林後６年から１２年にピークを有する山形の生長傾向を有することを理解した。さらに、詳細に傾向を調査すると、植林後８年から９年に頂点を有していることが確かめられる。このことから植林後８〜９年の期間に伐採収穫することにより最も高い容積重を産する材を獲得することができる。
【００１７】
ここで容積重は次のように定義される。木材の比重の表示法は実用上、容積当たりの質量、つまり容積重で表し、ＪＩＳ  Ｐ−８０１４に定義されている。同一の概念は絶乾比重、容積密度数などとも呼称される。
計算式；容積重＝全乾材の質量／生材の容積
生材の容積を一般資料について知ることは困難なので、通常完全膨潤試料の容積を使う。単位はｋｇ／ｍ3で表示する。
【００１８】
上述の容積重の時系列変化という現象は、植物の生長生理に起因すると考えられる。つまり植林後６年までの若齢期にあっては、木質繊維細胞の細胞壁が薄く、見かけの材容積に比較して質量が低い。長じて６年以降の生長にあっては、充実した生長下、十分な細胞膜厚をもって生長する。この期間に生長した木質繊維の繊維膜はそれ以外の期間に生長したものに比較して厚い細胞壁を有しており、このような木質繊維を原料として製造されたパルプは紙化時における叩解操作などによっても潰れにくく嵩高な紙層を形成することができる。
【００１９】
一方、更に長じて１２年以降の生長にあっては、既に蓄積された芯部の細胞は生命を失い、つまり生合成を行わず過去に合成された繊維壁も時系列的に生分解状態になり、老廃物の蓄積を行っている。これら生分解が起きた芯部物質は水溶化し収穫有効成分、つまりパルプとして回収される繊維にはならず、もっぱらパルプ製造工程における不純分の分離、精選の過程で廃棄される成分となる。このような植物の生長過程の物質代謝の様子は容積重という指標によっても計測される。
【００２０】
概括的には、容積重は水浸状況下で計測されることから、水溶化分の多い材は計測過程で溶出廃棄され、溶出分の多い材はその分軽くなる。この容積重測定時の処理の効果は、木材チップからパルプを抽出するという製造時の機作に比例する。
【００２１】
以上のような技術的背景から、１２年以上の樹齢の材にあっては、若く細胞壁の厚い生きた細胞の存在量に比し、生分解を起こした芯部の割合が大きくなり、結果として樹木総体としての容積重は低下することになる。これら総合的な生長の過程が最初に記したように樹木の容積重特性の時系列的な変化となって現れる。
【００２２】
このような自然現象の理解の上にたって、パルプ製造の工程を勘案した結果、植林後８〜９年の期間に伐採及び収穫するというユーカリ属植物の生産方法を行うことにより、これを原料とするパルプ製造の効率向上に寄与する高い容積重を有する材を獲得できることが明らかになった。
【００２３】
また、時系列的な容積重の変化の大きさは、実は同一樹種であってもその個体間で幾ばくか異なるが、当該の時期に最大の容積重になるという傾向は等しいことが調査の結果分かった。調査とそこから得られた知見に基づき高容積重材を獲得する方法を以下に示す。選別を経ていない天然の種子から造成した樹齢同一の一斉林を造成し、経年調査を行うと共にその個体毎の容積重のばらつきを経年的に調査した。この結果は次のようなものである。ユーカリ・グロブルスの容積重は、ほぼ５３０ｋｇ／ｍ3を平均値として、正規分布に近い分布をなす。ユーカリ・グロブルスのこの分布を理解し、望む個体を選択して増殖することにより、容積重を増加させることが可能である。つまり、容積重の個体毎のばらつきを利用して高い容積重を有する個体のみを増殖することができる。
【００２４】
次に、このクローン苗を育成し植林し、その時系列の材容積重を計測した。この結果、低い容積重の個体からのクローンでは低い容積重の材、高い容積重を持った個体からのクローンでは高い容積重の材が得られることが明らかになった。更に、クローン苗においても容積重の生長時系列的な特性変化は、先の天然の種子による一般的な時系列変化と異なることはなく、樹齢８〜９年において最も高い容積重の材を獲得することが明らかになった。
【００２５】
クローンとして担持する遺伝形質には、分枝性、樹形、葉茎樹皮などが知られている。クローン化することにより、これらの特性において等質性が発現することは理解されていた。しかし、容積重についてはそれが遺伝子の担持する形質であるかどうかこれまでは理解されていなかった。容積重特性も遺伝子の担時する特性であることを本発明者は明らかにした。このことから、高い容積重を有するユーカリ・グロブルス個体をクローン増殖し、これを苗化、植林して８〜９年後に伐採及び収穫するという植林によるユーカリ属植物の生産方法により、パルプ製造用の木材チップとして好適な高容積重の材が得られる。
【００２６】
本発明の高容積重ユーカリ植物の生産方法（２）をさらに詳細に説明する。はじめに、選別を経ていない天然種子を使った樹齢同一の一斉林を造成し、その個体毎の容積重のばらつきを調査する手順を記す。調査すべき先の天然種子使用の同一樹齢一斉林の複数の個体を根茎付近で伐採し、材の有効部分に整理し、その全幹を剥皮後チッパーにてチップ化する。チッピングした材は完全に攪拌し先の容積重測定に供する。このようにして容積重の値のばらつきを評価し高い容積重の個体を決定する。
【００２７】
以下、伐木した根茎より次に挿し木苗を得る方法を記載する。上記の伐木は地表より１５ｃｍ程のところで行う。挿し木苗を得ることを考慮して伐採は秋期から春期にかけて行う。以後、春期〜夏期の萌芽発生生長を待つ。まず翌春になり萌芽が出て来始めたら好ましい挿し穂を得るために徒長枝などの整理を行う。
【００２８】
伐木からの萌芽、つまり挿し穂材料はユーカリ・グロブルスに特有の葉柄の無い幼形葉である。ユーカリ・グロブルスの生態的な特徴として葉は生長に応じて変化する。植林後２〜３年の間は上記した幼形葉の状態で生育するが、以降その葉は葉柄を持ち、表裏で蒸散と光合成能力を有する成形葉へと逐次変化する。成形葉での挿し木は発根せずクローン化に不適なことから、本手順のように幼形葉を出葉させ、これを挿し木することによりクローン化を行う。次に、植林地より持ち帰った幼形葉からなる枝葉は１節に、対葉は半分に切除する。挿し穂軸の下部の両面２ｍｍほど切り開き形成層を露出する。このようにして作成した挿し穂は纏めて１秒ほど殺菌剤にてざっと殺菌する。ついで挿し穂の挿し軸にホルモンを添付し、順次挿して行く。
【００２９】
発根を促進するために挿し木後、温度２５〜３０℃、相対湿度７５〜８５％にて、管理する。このため、日照を１．５〜２ヶ月付与する。この為の温室を発根温室と表記する。温室は可動式の遮光ネットで覆う。このネットを開閉して日中の温度、湿度条件を調節する。夜間はほぼ外部環境に委ねる。
【００３０】
発根温室にて発根後は（この間、略2ヶ月）、温室より出して馴化プロセスに移行する。挿し後１．５ヶ月を経由したクローン苗で地表部は１０ｃｍ程ある。施肥と灌水を行いながら外気馴化と苗撫育を進める。この期間は総合で１０ヶ月ほどである。この期間を以下に示す３期間に分割し苗育成する。３期間における施肥は以下の通りである。
【００３１】
（発根促進期間）挿し木をしてから発根する迄の期間は一切の施肥を行わない。温度・湿度。日照等の環境整備のみ行う。
【００３２】
（出芽期間）発根した上で挿し木は自らの出芽を開始する。この時期に初期の施肥を行う。この間は、更に十分な根の伸長を考慮する上で、燐値の高い（窒素：燐：カリウム＝９：４５：１５）肥料を施す。
【００３３】
（母樹と山出し苗培養期間）芽、葉、茎、根を有する植物体として完成したら、山出し苗に仕立て上げるための生長期間を設ける。この期間は葉、幹の生育を充実させるために、窒素値の高い肥料を与えていく。以上で挿し木クローン苗が完成する。
【００３４】
この苗を植林し以後施肥、除草などの通常植林管理を行う。このようにして選抜した高容積重のクローン苗からの植林を行い、８〜９年の植林期間において伐採、収穫するという操作により高い容積重の材を収穫できる植林が可能になる。
【００３５】
チップ化は蒸解に際し薬品を木材に均一に浸透させるために行う。装置は受刃と切削ナイフからなり木材はナイフに対して斜めに投入される。この切削操作により木材は厚み４〜１０ｍｍ、幅２５ｍｍ前後、つまり繊維方向の長さ１５〜３５ｍｍ程に切削される。切削角度は一般に３０〜６０°。このチッピングの後にスクリーンを設けてサイズを調整する。
【００３６】
パルプ化法は各種あるがここでは蒸解釜を設けるクラフト法について記す。クラフト法はパルプ廃液（黒液）から蒸解薬品の回収再使用を行うこと、および熱の回収利用を行うことが前提になっている。パルプ化は蒸解と呼ばれる反応を通じて行われる。蒸解は反応容器中にチップを投入し、一般に苛性ソーダと硫化ソーダとからなる白液という反応液にて木材チップ中のリグニンを溶出しセルロースを抽出する作業である。１６０〜１８０℃、２〜３時間の反応を行う。この反応後に分離したセルロースを取り出し洗浄してパルプ化がなされる。
【実施例１】
【００３７】
以下、実施例により本発明を更に詳細に説明する。ユーカリ・グロブルスの選別を経ていない天然種子から樹齢同一の一斉林を造成し、その個体毎の容積重のばらつきを経年的に調査する。まず苗を作成する。これには市販の種子を利用する。市販の種子は当該地域に一般的に販売されているものであり、これを播種する。この市販種子は遺伝子の改変、或いは育種などの選抜、純化を経ていないものを選択する。これを粉砕した松皮の培地に播種する。播種後、遮光ネットを備えた露地育苗床にて朝、昼、夕の３回灌水を繰り返す。灌水は培地の乾燥状況を観察して常に湿潤な状態に維持する。発芽まで遮光ネットを張り間接日照とする。施肥は行わない。これにより２週間程で発芽する。以後これを略７ヶ月ほど培養し植林可能な山出し苗とする。この間の施肥、灌水は一般的な方法によるが以下に例示する。
【００３８】
（出芽促進期間）
種子が出芽を開始したら初期の施肥を行う。この間は十分な根の伸長を行わせる為に、燐値の高い（窒素：燐：カリウム＝９：４５：１５）肥料を施す。
（母樹と山出し苗培養期間）
芽、葉、茎、根を有する植物体として生長したら、山出し苗に仕立て上げるための生長期間を設ける。この期間は葉、幹の生育を充実させるために、窒素値の高い（窒素：燐：カリウム＝４０：４５：１５）肥料を与えていく。この間の灌水は一般的な方法による。以上で山出し苗が完成する。
【００３９】
次に作成できた苗を植林地に植え付ける。植林地としては均一な生育条件が得られるように、土壌の分布が均一で平坦な土地を選択する。植え付けに当たって通常の植林効果が得られるように、除草、異物除去、耕耘などの地拵えを行う。植え付けは十分な土壌水分が確保される雨期に行う。植え付けの面積は一般的な方法で良いが通常は６ｍ２に１本程の面積間隔で植え付ける。植え付け後、窒素、燐、カリウムの３要素肥料を施肥する。施肥の量は３要素肥料で１本の植え付け当たり１５０ｇ程だが、これらの量は一般的な植林方法に適用される方法でよい。植え付け後、林地の状況をみて適宜除草を行う。
【００４０】
かくして選別を経ていない天然種子から樹齢同一の一斉林を造成し、その個体毎の容積重の値を経年的に調査する。複数の個体からその枝を採取し剥皮後チッパーにてチップ化する。チッピングした材は完全に攪拌し容積重測定に供する。このようにして調査すると、容積重は表１及び図１に示すような時系列にそって植林後８年から９年に頂点を有する山形の生長傾向を把握することができる。この時期を、つまり植林後８〜９年の期間を選んで伐採する。
【００４１】
【表１】
2007236328.tif 000002
【実施例２】
【００４２】
まず選別を経ていない天然種子を使った樹齢同一の一斉林を造成し、その個体毎の容積重のばらつきを調査する。このための天然種子からの樹齢同一一斉林の造成法と容積重の時系列測定手順は実施例１と同様である。選別を経ていない天然の種子から樹齢同一の一斉林を造成し経年調査を行うと共に、その個体毎の容積重のばらつきを経年的に調査した。この結果を表２及び図２に示す。ユーカリ・グロブルスの容積重はほぼ５３０ｋｇ／ｍ3を平均値として正規分布に近い分布をなす。次に、このユーカリ・グロブルスの個体を複数選択しこれをクローン増殖することにより先の容積重が再現するか確認する。
【００４３】
【表２】
2007236328.tif 000003
【００４４】
まず、天然種子使用の同一樹齢一斉林から複数選択した個体を根茎付近で伐採し、クローン苗を得る。以下、伐木した根茎より挿し木によるクローン苗を得る方法を記載する。上記の伐木は地表より１５ｃｍ程のところで行う。挿し木苗を得ることを考慮して伐採は秋期から春期にかけて行う。以後、春〜夏の萌芽発生生長を待つ。以上、翌春になり萌芽が出て来始めたら好ましい挿し穂を得るために徒長枝などの整理を行う。この伐木からの萌芽は幼形葉である。つまり挿し穂材料はユーカリ・グロブルスに特有の葉柄の無い幼形葉である。
【００４５】
植林地より持ち帰った枝葉は１節に、対葉は半分に切除する。挿し穂軸の下部の両面２mmほど切り開き形成層を露出する。このようにして作成した挿し穂は纏めて１秒ほど殺菌剤にてざっと殺菌する。ついで挿し穂の挿し軸にホルモンを添付し順次挿して行く。
【００４６】
発根を得るために挿し木後、温度２５℃、相対湿度８５％にて日照を１．５〜２ヶ月付与する。温室は可動式の遮光ネットで覆う。このネットを開閉して日中の環境条件を調節する。夜間はほぼ外部環境に委ねる。温室にて発根を認めたら（この間、略2ヶ月）、温室より出して馴化プロセスに移行する。挿し後１．５ヶ月程を経由したクローン苗で地表部は１０ｃｍ程ある。施肥と灌水を行いながら外気馴化と苗撫育を進める。この期間は総合で１０ヶ月ほどである。この期間を以下に示す３期間に分割し苗育成を行う。
【００４７】
施肥は生長の各段階で内容を変えて実施する。
（発根促進期間）
挿し木をしてから発根する迄の期間は一切の施肥を行わない。温度・湿度。日照等の環境整備のみ行う。
（出芽期間）
発根した上で挿し木は自らの出芽を開始する。この時期に初期の施肥を行う。この間は、更に十分な根の伸長を考慮する上で、燐値の高い（窒素：燐：カリウム＝９：４５：１５）肥料を施す。
（母樹と山出し苗培養期間）
芽、葉、茎、根を有する植物体として完成したら、山出し苗に仕立て上げるための生長期間を設ける。この期間は葉、幹の生育を充実させるために、窒素値の高い肥料を与えていく。
【００４８】
以上のようにして挿し木クローン苗を作成する。この苗を植林し、以後施肥、除草などの通常植林管理を行う。植え付け方法、植林管理などは実施例１と同様である。かくしてその生長に伴う各年における時系列の材容積重を計測する。容積重の測定法は実施例１と同様である。このようにして、９年間の植林後に採取したクローン化個体の容積重をもとになった実生苗（天然種子からの苗）の容積重とともに対比して表３及び図３に示す。
【００４９】
【表３】
2007236328.tif 000004
【００５０】
以上より、天然種子から選抜した高容積重ユーカリ・グロブルスのクローン化個体も高容積重であることが確認された。このようにして選抜したユーカリ・グロブルスのクローンを増殖させることにより、高容積重のユーカリ・グロブルスを効率よく生産することができた。
【００５１】
チップ化にあたり装置は受刃と切削ナイフからなるチッパーに木材はナイフに対して斜めに投入される。切削操作により木材を厚み４〜１０ｍｍ、幅２５ｍｍ前後に切削する。切削角度は３０〜６０°である。このチッピングの後にスクリーンを設けてサイズを調整する。
【００５２】
パルプ化法としてクラフト法で蒸解した。蒸解は反応容器中にチップを投入し、苛性ソーダと硫化ソーダとからなる白液中にて１６０〜１８０℃、２〜３時間の反応を行う。この反応後に分離したセルロースを取り出し洗浄してパルプ化を行う。容積一定の蒸解釜を用いた場合、植林後８〜９年のユーカリ・グロブルスではパルプの生産量が植林後６年のものの１．３０倍、植林後１２年のものの１．１５倍となり、高効率でパルプを生産できることが確認された。
【産業上の利用可能性】
【００５３】
本発明は、高容積重のユーカリ属植物の生産が可能となる。
【図面の簡単な説明】
【００５４】
【図１】ユーカリ・グロブルスの容積重の時系列変化を表すグラフである。
【図２】ユーカリ・グロブルスの容積重の時系列変化を表すグラフである。
【図３】ユーカリ・グロブルスのクローン化個体の容積重ともとになった実生苗（天然種子からの苗）の容積重との比較を表すグラフである。
【図１】
2007236328.tif 000005
【図２】
2007236328.tif 000006
【図３】
2007236328.tif 000007